(57)【要約】      （修正有）【課題】組み立てや解体が容易であり、また作業性や安全性に優れた足場を提供する【解決手段】複数列の杭２１０の中間部に仮設される足場１００であって、各列の杭２１０の周囲を囲繞しほぼ水平姿勢に張設したＰＣ鋼より線１２０と、各列の杭杭２１０の両側面の足場架設レベルに取り付けられＰＣ鋼より線１２０を支承する吊り金具１１２と、ＰＣ鋼より線１２０に緊張力を付与しその端部を定着する定着金具と、ＰＣ鋼より線１２０上に敷き並べられた鋼管１３０と、鋼管１３０上に載設されたエキスパンドメタル（穴あき薄鋼板）１４０とからなる。【選択図】図１
0003172161.tif 000002
【実用新案登録請求の範囲】
【請求項１】
複数列の杭の中間部に仮設される足場であって、各列の杭の周囲を囲繞しほぼ水平姿勢に張設したＰＣ鋼材と、各列の杭の両側面の足場架設レベルに取り付けられ前記ＰＣ鋼材を支承する支承部材と、前記ＰＣ鋼材に緊張力を付与しその端部を定着する定着金具と、前記ＰＣ鋼材上に載設された作業床とからなることを特徴とする足場。
【考案の詳細な説明】
【技術分野】
【０００１】
本考案は、複数列の杭の中間部に仮設される足場に関する。
【背景技術】
【０００２】
従来より、複数列の杭に床版が支持された橋梁や桟橋等の構造物の下面を対象とした点検や塗装や補修等を行う場合、その複数列の杭の中間部に足場を一時的に仮設し、作業足場として使用している。
【０００３】
このような足場は一般に、地表面から組み上げられているが、例えば桟橋のように、地表面から足場を組み上げることが不可能な場合には、吊り足場が採用されている。
【０００４】
この吊り足場は、床版の下面にアンカー材を打ち込み、そのアンカー材から吊りチェーンで鋼管を吊り、その鋼管上に足場板を敷き並べて足場床とするものである（例えば、特許文献１参照。）。
【特許文献１】特開２００２−６９９３０号公報（図６）
【考案の開示】
【考案が解決しようとする課題】
【０００５】
しかしながら、上述した吊り足場は、多数のアンカー材を床版の下面に打ち込む必要があるため、組み立てや解体に多大な時間や労力を要する。また、多数の吊りチェーンが吊り足場上に存在することとなるため、その吊りチェーンが点検や塗装や補修等の作業の妨げとなるおそれがあり、作業性が悪いといった問題がある。さらに、その吊りチェーンが作業時における危険要素となるおそれもある。
【０００６】
本考案は、上記事情に鑑み、組み立てや解体が容易であり、また作業性や安全性に優れた足場を提供することを目的とするものである。
【課題を解決するための手段】
【０００７】
上記目的を達成する本考案の足場は、複数列の杭の中間部に仮設される足場であって、各列の杭の周囲を囲繞しほぼ水平姿勢に張設したＰＣ鋼材と、各列の杭の両側面の足場架設レベルに取り付けられ上記ＰＣ鋼材を支承する支承部材と、上記ＰＣ鋼材に緊張力を付与しその端部を定着する定着金具と、上記ＰＣ鋼材上に載設された作業床とからなることを特徴とする。
【０００８】
本考案の足場は、各列の杭の周囲を囲繞しほぼ水平姿勢に張設したＰＣ鋼材と、そのＰＣ鋼材を支承する支承部材と、そのＰＣ鋼材の端部を定着する定着金具と、そのＰＣ鋼材上に載設された作業床とからなる足場である。従って、本考案の足場によれば、床版の下面に打ち込まれる多数のアンカー材が不要であるため、従来の吊り足場に比して、組み立てや解体が容易であり、足場工の施工日数を短縮することができ、施工費が抑制される。また、本考案の足場によれば、足場上に作業の妨げとなる吊りチェーン等が存在しないこととなるため、作業性や安全性に優れる。
【考案の効果】
【０００９】
本考案の足場によれば、従来の吊り足場に比して、組み立てや解体が容易であり、また作業性や安全性に優れる。
【考案を実施するための最良の形態】
【００１０】
以下、図面を参照して本考案の実施の形態を説明する。
【００１１】
図１は、本考案の一実施形態である足場１００が仮設された桟橋２００の縦断面図である。
【００１２】
図１には、５列の杭２１０上端に床版２２０が支持された桟橋２００が示されている。また、この図１には、桟橋２００の床版２２０の下方に仮設された足場１００も示されている。
【００１３】
以下、この図１に示す足場１００について詳細に説明する。
【００１４】
図２は、図１に示す足場１００の平面図である。また、図３は、図２に示すＡ部の拡大図である。尚、この図２，図３では、後述する鋼管１３０（図８参照）およびエキスパンドメタル１４０（図８参照）の図示が省略されている。
【００１５】
図２，図３に示すように、各列の杭２１０の両側面の足場架設レベルに、ＰＣ鋼より線１２０を支承する吊り金具１１１，１１２がボルト１１４を用いて取り付けられている。この吊り金具１１１，１１２によってＰＣ鋼より線１２０の撓みが抑制される。また、各列の杭２１０のうちの一方の端部杭２１０に、ＰＣ鋼より線１２０の端部を定着する定着金具１１３がボルトを用いて取り付けられている。そして、図示しないジャッキを用いて緊張力が付与されたＰＣ鋼より線１２０が、吊り金具１１１，１１２に支承されることで、各列の杭２１０の周囲を囲繞しほぼ水平姿勢に張設され、定着金具１１３内で交差させて定着金具１１３に端部が定着されている。このＰＣ鋼より線１２０は、本考案にいうＰＣ鋼材の実施例である。
【００１６】
ＰＣ鋼より線１２０に付与する緊張力は、足場自重及び作業荷重、ＰＣ鋼より線１２０の許容垂下量、ＰＣ鋼より線支持スパン等のパラメータから算出される張力に安全率を加味した数値を満足するものとすればよい。ＰＣ鋼より線支持スパンは中途橋脚に設ける吊り金具１１１，１１２で支持することによって調整すればよく、過大な緊張力を導入する必要はない。
【００１７】
図４は、図３に示すＢ矢視図であり、図５は、図３に示すＣ矢視図である。
【００１８】
図２〜図５に示す、各列の杭２１０のうちの一方の端部杭２１０に取り付けられた吊り金具１１１は、取り付け状態において上部および両側部が解放されるＬ字型断面形状を有する金具である。この吊り金具１１１では、ＰＣ鋼より線１２０が上方から差し入れられて支承される。この吊り金具１１１は、本考案にいう支承部材の第１実施例である。
【００１９】
図６は、図３に示すＤ矢視図であり、図７は、図３に示すＥ矢視図である。
【００２０】
図２，図３，図６，図７に示す、上記一方の端部杭２１０を除く各列の杭２１０に取り付けられた吊り金具１１２は、取り付け状態において両側部が解放される箱型断面形状を有する金具である。この吊り金具１１２では、ＰＣ鋼より線１２０が側方から挿入されて支承される。この吊り金具１１２は、本考案にいう支承部材の第２実施例である。
【００２１】
尚、ここでは、本考案にいう支承部材の実施例として、上述した２種類の吊り金具の例を挙げて説明したが、本考案にいう支承部材はこれらに限られるものではなく、ＰＣ鋼材を支承するものであればいかなる形状のものであってもよい。
【００２２】
図８は、図１に示す足場１００の平面図である。
【００２３】
図８に示すように、各列の杭２１０の周囲に張設したＰＣ鋼より線１２０上には、ＰＣ鋼より線１２０と交差する方向に複数本の鋼管１３０が敷き並べられ、敷き並べられた鋼管１３０上に、作業床面となるエキスパンドメタル（穴あき薄鋼板）１４０が載設されている。この鋼管１３０とエキスパンドメタル１４０との組み合わせは、本考案にいう作業床の実施例である。尚、足場面の水没がない環境下であれば、本考案にいう作業床として例えば木材の足場板を使用してもよい。なお、足場材の防食については、本来、作業足場は仮の設備でありそれほど考慮する必要はないが、長期に渉って設置するのであればそれなりの防食対策を講ずることが必要である。
【００２４】
図９は、本考案の他の実施形態を示す平面図である。尚、この図９では、上述した鋼管１３０（図８参照）およびエキスパンドメタル１４０（図８参照）の図示が省略されている。
【００２５】
図９に示すように、各列の杭２１０のうちの両端の杭２１０にＰＣ鋼より線１２１，１２２の端部を定着する定着金具１１３を取り付け、各列の杭２１０のうちの中央の杭２１１を境に分割した各杭列の周囲にぞれぞれのＰＣ鋼より線１２１，１２２を張設してジャッキを用いて緊張力を付与し、定着金具１１３に定着してもよい。
【００２６】
以上説明したように、本実施形態の足場によれば、床版２２０の下面に打ち込まれる多数のアンカー材が不要であるため、従来の吊り足場に比して、組み立てや解体が容易であるため、足場工の施工日数を短縮することができ、施工費が抑制される。また、本実施形態の足場によれば、足場１００上に作業の妨げとなる吊りチェーン等が存在しないこととなるため、床版２２０の下方における作業性や安全性に優れる。
【００２７】
尚、上述した実施形態では、本考案の足場が、桟橋の床版の下方に仮設された足場である例を挙げて説明したが、本考案の足場はこれに限られるものではなく、複数列の杭の中間部に仮設される足場に適用することができる。
【図面の簡単な説明】
【００２８】
【図１】本考案の一実施形態である足場が仮設された桟橋の縦断面図である。
【図２】図１に示す足場の平面図である。
【図３】図２に示すＡ部の拡大図である。
【図４】図３に示すＢ矢視図である。
【図５】図３に示すＣ矢視図である。
【図６】図３に示すＤ矢視図である。
【図７】図３に示すＥ矢視図である。
【図８】図１に示す足場１００の平面図である。
【図９】本考案の他の実施形態を示す平面図である。
【符号の説明】
【００２９】
１００    足場
１１１，１１２    吊り金具
１１３    定着金具
１１４    ボルト
１２０，１２１，１２２    ＰＣ鋼より線
１３０    鋼管
１４０    エキスパンドメタル（穴あき薄鋼板）
２００    桟橋
２１０，２１１    杭
２２０    床版
【図１】
0003172161.tif 000003
【図２】
0003172161.tif 000004
【図３】
0003172161.tif 000005
【図４】
0003172161.tif 000006
【図５】
0003172161.tif 000007
【図６】
0003172161.tif 000008
【図７】
0003172161.tif 000009
【図８】
0003172161.tif 000010
【図９】
0003172161.tif 000011